(57)【要約】【課題】画像情報を出力する装置の正当性に基づいてその画像情報の表示を好適に制御することによりセキュリティ性を高める電子ペーパー表示装置、表示制御装置、電子ペーパー表示システム、表示制御方法、及び、コンピュータプログラムを提供すること。【解決手段】電子ペーパー表示装置であって、電子ペーパーによる表示を制御する表示制御部と、前記電子ペーパー表示装置に接続される表示制御装置との通信を行う第１の通信部と、前記表示制御装置に係る識別情報を保持する第１の識別情報保持部と、前記第１の通信部から入力される識別情報の正当性の有無を、前記第１の識別情報保持部に保持される識別情報に基づいて判断し、入力される前記識別情報が正当性を有すると判断する場合に、前記第１の通信部から入力される画像情報を前記電子ペーパーに表示させることを許可する、第１の制御部と、を有する電子ペーパー表示装置。【選択図】図１
2010186066.tif 000002
【特許請求の範囲】
【請求項１】
電子ペーパー表示装置であって、
電子ペーパーによる表示を制御する表示制御部と、
前記電子ペーパー表示装置に接続される表示制御装置との通信を行う第１の通信部と、
前記表示制御装置に係る識別情報を保持する第１の識別情報保持部と、
前記第１の通信部から入力される識別情報の正当性の有無を、前記第１の識別情報保持部に保持される識別情報に基づいて判断し、入力される前記識別情報が正当性を有すると判断する場合に、前記第１の通信部から入力される画像情報を前記電子ペーパーに表示させることを許可する、第１の制御部と、
を有することを特徴とする電子ペーパー表示装置。
【請求項２】
前記第１の制御部は、入力される前記識別情報が正当性を有しないと判断する場合に、前記表示制御装置から入力される前記電子ペーパーに表示される画像情報に対する編集の要求を受け付けない制御をすることを特徴とする請求項１記載の電子ペーパー表示装置。
【請求項３】
前記識別情報は、前記表示制御装置の識別情報、前記表示制御装置から入力される画像情報の識別情報、及び、前記表示制御装置の操作者の識別情報の何れか一であることを特徴とする請求項１又は２記載の電子ペーパー表示装置。
【請求項４】
前記第１の識別情報保持部は、前記識別情報毎に、前記電子ペーパーにより過去に表示した回数に係る情報及び前記電子ペーパーによる表示が許可される回数に係る情報を対応づけて保持し、
前記第１の制御部は、入力される前記識別情報に対応する前記過去に表示した回数が、前記表示が許容される回数以下の場合に、前記識別情報が正当性を有すると判断することを特徴とする請求項１ないし３何れか一項に記載の電子ペーパー表示装置。
【請求項５】
電子ペーパー表示装置に対して画像情報を出力する表示制御装置であって、
前記電子ペーパー表示装置の識別情報を保持する第２の識別情報保持部と、
前記電子ペーパー表示装置との通信を行う第２の通信部と、
前記第２の通信部から入力される識別情報の正当性の有無を、前記第２の識別情報保持部に保持される識別情報に基づいて判断し、入力される前記識別情報が正当性を有すると判断する場合に、前記第２の通信部から前記電子ペーパー表示装置に対して画像情報を出力することを許可する、第２の制御部と、
を有する表示制御装置。
【請求項６】
前記第２の制御部は、入力される前記識別情報が正当性を有しないと判断する場合に、前記電子ペーパー表示装置に対して画像情報を出力しない制御をすることを特徴とする請求項５記載の表示制御装置。
【請求項７】
前記識別情報は、前記電子ペーパー表示装置の識別情報、又は、前記電子ペーパー表示装置が表示している画像情報の識別情報であることを特徴とする請求項５又は６記載の表示制御装置。
【請求項８】
前記画像情報を保持する画像情報保持部を有し、
前記第２の制御部は、入力される前記識別情報が正当性を有しないと判断する場合に、前記画像情報保持部から前記画像情報を消去することを特徴とする請求項５ないし７何れか一項に記載の表示制御装置。
【請求項９】
音声信号による音声を出力する音声出力部を有し、
前記第２の制御部は、入力される前記識別情報が正当性を有しないと判断する場合に、前記音声出力部から所定の音声信号による音声を出力させることを特徴とする請求項５ないし８何れか一項に記載の表示制御装置。
【請求項１０】
前記第２の識別情報保持部は、前記識別情報毎に、前記電子ペーパーにより過去に表示した回数に係る情報及び前記電子ペーパーによる表示が許可される回数に係る情報を対応づけて保持し、
前記第２の制御部は、入力される前記識別情報に対応する前記過去に表示した回数が、前記表示が許容される回数以下の場合に、前記識別情報が正当性を有すると判断することを特徴とする請求項５ないし９何れか一項に記載の表示制御装置。
【請求項１１】
電子ペーパー表示装置と、前記電子ペーパー表示装置に対して画像情報を出力する表示制御装置と、が接続された電子ペーパー表示システムであって、
前記電子ペーパー表示装置は、
電子ペーパーによる表示を制御する表示制御部と、
前記表示制御装置に係る識別情報を保持する第１の識別情報保持部と、
前記表示制御装置との通信を行う第１の通信部と、
前記第１の通信部から入力される識別情報の正当性を、前記第１の識別情報保持部に保持される識別情報に基づいて判断し、入力される前記識別情報が正当性を有する場合に、前記第１の通信部から入力される画像情報を、前記表示制御部に対して出力させる、第１の制御部と、
を有し、
前記表示制御装置は、
前記電子ペーパー表示装置の識別情報を保持する第２の識別情報保持部と、
前記電子ペーパー表示装置との通信を行う第２の通信部と、
前記第２の通信部から入力される識別情報の正当性を、前記第２の識別情報保持部に保持される識別情報に基づいて判断し、入力される前記識別情報が正当性を有する場合に、前記第２の通信部から前記電子ペーパー表示装置に対して画像情報を出力させる、第２の制御部と、
を有することを特徴とする電子ペーパー表示システム。
【請求項１２】
表示制御装置に係る識別情報を保持する第１の識別情報保持部を有し前記表示制御装置に接続される電子ペーパー表示装置における表示制御方法であって、
前記表示制御装置との通信により前記表示制御装置に係る識別情報を受信する受信ステップと、
前記受信ステップにおいて受信する識別情報の正当性の有無を、前記第１の識別情報保持部に保持される識別情報に基づいて判断する判断ステップと、
前記判断ステップにおいて前記識別情報が正当性を有すると判断する場合に、前記表示制御装置から入力される画像情報を前記電子ペーパーに表示させることを許可する許可ステップと、
を有することを特徴とする表示制御方法。
【請求項１３】
電子ペーパー表示装置に対して画像情報を出力し、前記電子ペーパー表示装置の識別情報を保持する第２の識別情報保持部を有する、表示制御装置における表示制御方法であって、
前記電子ペーパー表示装置との通信により前記電子ペーパー表示装置の識別情報を受信する受信ステップと、
前記受信ステップにおいて受信される識別情報の正当性の有無を、前記第２の識別情報保持部に保持される識別情報に基づいて判断する判断ステップと、
前記識別情報が正当性を有すると判断する場合に、前記電子ペーパー表示装置に対して画像情報を出力することを許可する許可ステップと、
を有することを特徴とする表示制御方法。
【請求項１４】
前記表示制御装置に係る識別情報を、前記電子ペーパー表示装置に対して出力する出力ステップを有することを特徴とする請求項１３記載の表示制御方法。
【請求項１５】
表示制御装置に係る識別情報を保持する第１の識別情報保持部を有する電子ペーパー表示装置と、前記電子ペーパー表示装置の識別情報を保持する第２の識別情報保持部を有し、前記電子ペーパー表示装置に対して画像情報を出力する表示制御装置と、が接続された電子ペーパー表示システムにおける表示制御方法であって、
前記電子ペーパー表示装置が、前記表示制御装置との通信により前記表示制御装置に係る識別情報を受信する受信ステップと、
前記電子ペーパー表示装置が、前記受信ステップにおいて受信する識別情報の正当性の有無を、前記第１の識別情報保持部に保持される識別情報に基づいて判断する判断ステップと、
前記電子ペーパー表示装置が、前記判断ステップにおいて前記識別情報が正当性を有すると判断する場合に、前記表示制御装置から入力される画像情報を前記電子ペーパーに表示させることを許可する許可ステップと、
前記表示制御装置が、前記電子ペーパー表示装置との通信により前記電子ペーパー表示装置の識別情報を受信する受信ステップと、
前記表示制御装置が、前記受信ステップにおいて受信される識別情報の正当性の有無を、前記第２の識別情報保持部に保持される識別情報に基づいて判断する判断ステップと、
前記表示制御装置が、前記識別情報が正当性を有すると判断する場合に、前記電子ペーパー表示装置に対して画像情報を出力することを許可する許可ステップと、
を有することを特徴とする表示制御方法。
【請求項１６】
請求項１２ないし１５何れか一項に記載の表示制御方法を、コンピュータに実行させるためのコンピュータプログラム。
【発明の詳細な説明】
【技術分野】
【０００１】
本発明は、電子ペーパー表示装置、表示制御装置、電子ペーパー表示システム、表示制御方法、及び、コンピュータプログラムに関する。
【背景技術】
【０００２】
従来から、電子ペーパーによる表示を行う情報表示装置において、表示する情報に対するセキュリティを高めるために、表示する情報の制御を行う技術がある。
【０００３】
例えば、特開２００６−０１７９０６号公報（特許文献１）には、電子ペーパーのそれぞれに固有の識別情報を設定し、係合したメモリクリップに対してその識別情報を送信することにより、メモリクリップ側でその識別情報を照合して、電子ペーパーに送信する画像情報を制御する画像表示システム等の発明が開示されている。
【０００４】
ところで、装置の使用や表示を制御するための認証を行う例として、例えば、特開２０００−１７２６５０号公報（特許文献２）には、ＩＤ情報データを記憶するワイヤレスカードから受信したＩＤ情報を照合し、ＩＤ情報データが一致した場合のみ使用可能となる携帯端末の発明が開示されている。
【発明の概要】
【発明が解決しようとする課題】
【０００５】
しかしながら、上記特許文献１に開示の画像表示システム等の発明では、識別情報は電子ペーパーが有しており、メモリクリップは識別情報を有していない。このため、メモリクリップの識別については考慮されていない。
【０００６】
本発明は、上記の点に鑑みて、これらの問題を解消するために発明されたものであり、画像情報を出力する装置の正当性に基づいてその画像情報の表示を好適に制御することによりセキュリティ性を高める電子ペーパー表示装置、表示制御装置、電子ペーパー表示システム、表示制御方法、及び、コンピュータプログラムを提供することを目的としている。
【課題を解決するための手段】
【０００７】
上記目的を達成するために、本発明の電子ペーパー表示装置は次の如き構成を採用した。
【０００８】
本発明の電子ペーパー表示装置は、電子ペーパー表示装置であって、電子ペーパーによる表示を制御する表示制御部と、前記電子ペーパー表示装置に接続される表示制御装置との通信を行う第１の通信部と、前記表示制御装置に係る識別情報を保持する第１の識別情報保持部と、前記第１の通信部から入力される識別情報の正当性の有無を、前記第１の識別情報保持部に保持される識別情報に基づいて判断し、入力される前記識別情報が正当性を有すると判断する場合に、前記第１の通信部から入力される画像情報を前記電子ペーパーに表示させることを許可する、第１の制御部と、を有する構成とすることができる。
【０００９】
これにより、画像情報を出力する装置の正当性に基づいてその画像情報の表示を好適に制御することによりセキュリティ性を高める電子ペーパー表示装置を提供することができる。
【００１０】
なお、上記課題を解決するため、本発明は、上記電子ペーパー表示装置に対して画像情報を出力する表示制御装置、上記電子ペーパー表示装置と上記表示制御装置とを含む電子ペーパー表示システム、並びに、上記電子ペーパー表示装置、上記表示制御装置、及び、上記電子ペーパー表示システムの何れか一以上における表示制御方法、その表示制御方法をコンピュータに実行させるためのコンピュータプログラムとしてもよい。
【発明の効果】
【００１１】
本発明の電子ペーパー表示装置、表示制御装置、電子ペーパー表示システム、表示制御方法、及び、コンピュータプログラムによれば、画像情報を出力する装置の正当性に基づいてその画像情報の表示を好適に制御することによりセキュリティ性を高める電子ペーパー表示装置、表示制御装置、電子ペーパー表示システム、表示制御方法、及び、コンピュータプログラムを提供することが可能になる。
【図面の簡単な説明】
【００１２】
【図１】図１は、情報表示装置１の機能構成の例を示すブロック図である。
【図２】図２は、電子ペーパー１８０による表示の制御を行う処理を説明するフロー図である。
【図３】図３は、表示部１００の識別情報が正当性を有しない場合のコントローラ部２００における処理を説明するフロー図である。
【図４】図４は、識別情報の例を示す図（その１）である。
【図５】図５は、識別情報の例を示す図（その２）である。
【発明を実施するための形態】
【００１３】
以下、本発明の実施の形態を図面に基づき説明する。なお、以下の説明において、「識別情報」を「ＩＤ情報」ともいう。
【００１４】
〔本発明の実施の形態〕
図１は、本実施の形態に係る情報表示装置１の機能構成の例を示すブロック図である。図１の情報表示装置１は、電子ペーパーによる表示を行う電子ペーパー表示システムである。情報表示装置１は、表示部１００とコントローラ部２００とを有する。コントローラ部２００が画像データを表示部１００に対して出力し、表示部１００がその画像データを電子ペーパー１８０に表示する。
【００１５】
（表示部１００の構成）
表示部１００は、ＩＤ情報記憶部１１０、画像記憶部１２０、インタフェース（以下、「Ｉ／Ｆ」という。）部１６０、電子ペーパー１８０、表示制御部１８９、及び、制御部１９０を有する。
【００１６】
電子ペーパー１８０は、電源が切断された際にも表示を継続する記憶性を有する画像表示媒体である。表示制御部１８９は、電子ペーパー１８０に対する表示を行う。
【００１７】
ＩＤ情報記憶部１１０は、コントローラ部２００に係る識別情報を保持する。ＩＤ情報記憶部１１０が保持する識別情報は、コントローラ部２００の識別情報、コントローラ部２００から入力され電子ペーパー１８０に表示される画像データの識別情報、又は、コントローラ部２００を操作する操作者の識別情報等である。ＩＤ情報記憶部１１０は、複数のコントローラ部２００の識別情報を保持してもよく、複数の画像データの識別情報を保持してもよく、さらに、複数の操作者の識別情報を保持してもよい。
【００１８】
ＩＤ情報記憶部１１０は、また、識別情報毎に、表示する回数を制限する情報が対応づけられている場合には、その表示する回数を制限する情報を保持し、さらに、その識別情報に対応して表示が行われた回数の情報を保持する。
【００１９】
ＩＤ情報記憶部１１０は、また、表示部１００の識別情報を保持するとよい。ＩＤ情報記憶部１１０は、例えば、メモリとして構成される。
【００２０】
画像記憶部１２０は、コントローラ部２００から入力され、電子ペーパー１８０に表示される画像データを保持する。画像記憶部１２０は、例えば、メモリとして構成される。なお、ＩＤ情報記憶部１１０と画像記憶部１２０とは、一の記憶デバイスでもよい。
【００２１】
Ｉ／Ｆ部１６０は、コントローラ部２００との通信を行う。Ｉ／Ｆ部１６０から入力される情報は、例えば、電子ペーパー１８０に表示する画像データ、及び、コントローラ部２００に係る識別情報等である。また、Ｉ／Ｆ部１６０から出力される情報は、例えば、表示部１００の識別情報である。
【００２２】
制御部１９０は、表示部１００が有する各部の制御を行う。制御部１９０は、Ｉ／Ｆ部１６０から入力される識別情報と、ＩＤ情報記憶部１１０に保持される識別情報とを照合することにより、入力される識別情報の正当性を判断する。制御部１９０は、入力される識別情報が正当性を有すると判断する場合に、Ｉ／Ｆ部１６０から入力される画像データを、電子ペーパー１８０に表示させる。
【００２３】
制御部１９０は、入力される識別情報が正当性を有しないと判断する場合に、Ｉ／Ｆ部１６０から入力される画像データを、電子ペーパー１８０に表示させない。これを実現するために、制御部１９０は、Ｉ／Ｆ部１６０から入力される画像データを受け付けない制御をしてもよく、また、表示制御部１８９による画像データの表示の処理を行わせない制御をしてもよい。
【００２４】
制御部１９０は、また、入力される識別情報が正当性を有しないと判断する場合に、電子ペーパー１８０に表示している画像データに対する編集等の改変又は消去の指示を受け付けない制御をするとよい。
【００２５】
なお、識別情報が正当性を有するとは、入力される識別情報と同一の識別情報が、ＩＤ情報記憶部１１０に保持されていることをいう。また、コントローラ部２００の操作者の識別情報が入力される場合に、その操作者が属するグループ等の識別情報が、ＩＤ情報記憶部１１０に保持されていれば、その入力される識別情報が正当性を有するとしてもよい。
【００２６】
また、識別情報毎に表示する回数が対応づけられている場合には、制御部１９０は、ＩＤ情報記憶部１１０に保持される表示する回数を制限する情報と、その識別情報が既に表示した回数の情報とを取得する。制御部１９０は、既に表示した回数が、表示してよい回数より少ないときに、入力される識別情報が正当性を有するとする。
【００２７】
（コントローラ部２００の構成）
コントローラ部２００は、ＩＤ情報記憶部２１０、画像記憶部２２０、メモリカードインタフェース（以下、「メモリカードＩ／Ｆ」という。）２３０、メモリカードＩ／Ｆ制御部２３９、スピーカ２４０、オーディオ制御部２４９、バッテリ２５０、電源制御部２５９、Ｉ／Ｆ部２６０、Ｉ／Ｆ部２６２、表示部２８０、入力部２８２、表示制御部２８９、及び、制御部２９０を有する。
【００２８】
ＩＤ情報記憶部２１０は、コントローラ部２００に接続される表示部１００の識別情報、及び、コントローラ部２００の識別情報を保持する。ＩＤ情報記憶部２１０は、また、コントローラ部２００の操作者の識別情報を保持するとよい。
【００２９】
画像記憶部２２０は、表示部１００に表示する画像の画像データを保持する。画像記憶部２２０は、複数の画像データを保持するとよく、さらに画像データ毎に識別情報を対応づけて保持してもよい。なお、ＩＤ情報記憶部２１０と画像記憶部２２０とは、一の記憶デバイスでもよい。
【００３０】
入力部２８２は、コントローラ部２００に対し、操作者による指示が入力される。入力部２８２は、例えば、表示部２８０に表示される項目から一以上の項目を選択し、又は、項目を決定する際の「選択キー」である。入力部２８２からの入力により、ＩＤ情報記憶部２１０に保持される情報の追加、編集、更新等が行われる。
【００３１】
表示部２８０は、コントローラ部２００の状態等を表示する。表示部２８０は、操作者に対して指示の入力を促す画面を表示する。表示制御部２８９は、表示部２８０による表示を制御し、表示部２８０に表示する画面を生成する。
【００３２】
メモリカードＩ／Ｆ２３０は、メモリカードＩ／Ｆ２３０に挿入等される図示しないメモリカードからのデータの取り込み及びメモリカードへの書き出しを行う。メモリカードＩ／Ｆ制御部２３９は、メモリカードＩ／Ｆ２３０に対する制御を行う。
【００３３】
なお、メモリカードからは、画像記憶部２２０に格納される画像データ、ＩＤ情報記憶部２１０に保持される識別情報等が読み込まれるとよい。
【００３４】
スピーカ２４０は、警告音等の音声を出力する。オーディオ制御部２４９は、スピーカ２４０に出力する音声信号を制御し、スピーカ２４０から音声を出力させる。なお、スピーカ２４０から出力される音声の音声データは、例えば、画像記憶部２２０に保持されるとよい。
【００３５】
バッテリ２５０は、表示部１００に電源を供給し、電源制御部２５９は、バッテリ２５０の制御を行う。
【００３６】
Ｉ／Ｆ部２６０は、表示部１００との間の通信を行う際のインタフェースである。
【００３７】
Ｉ／Ｆ部２６２は、図示しない外部装置との通信を行う際のインタフェースである。なお、図示しない外部装置とは、例えば、パーソナルコンピュータ等のホスト装置である。Ｉ／Ｆ部２６２からは、例えば、画像データ、及び、識別情報等が入力される。
【００３８】
制御部２９０は、ＩＤ情報記憶部２１０が保持するコントローラ部２００の識別情報を、表示部１００に対して出力する。制御部２９０は、また、表示部１００から出力される表示部１００の識別情報が正当性を有する場合に、画像記憶部２２０が保持する画像データを、表示部１００に対して出力する。
【００３９】
なお、表示部１００の識別情報が正当性を有するとは、表示部１００からコントローラ部２００に対して入力される識別情報と、ＩＤ情報記憶部２１０が保持する識別情報とが、一致することをいう。
【００４０】
制御部２９０は、また、表示部１００から電子ペーパー１８０に表示されている画像データの識別情報が入力される場合に、その識別情報と同一の識別情報がＩＤ情報記憶部２１０に保持されているときに、入力される識別情報が正当性を有すると判断する。これにより、過去にコントローラ部２００から出力された画像データを表示している表示部１００を識別することができる。
【００４１】
（識別情報による表示制御の処理）
図２は、コントローラ部２００の識別情報と表示部１００の識別情報とのそれぞれに対し、正当性の有無を判断することにより、電子ペーパー１８０による表示の制御を行う処理を説明するフロー図である。図２において、ステップＳ１０１からステップＳ１０５は、コントローラ部２００において実行され、ステップＳ２０１からステップＳ２０６は、表示部１００において実行される。なお、図中「識別情報」を「ＩＤ」と表記する。
【００４２】
図２のステップＳ１０１では、コントローラ部２００の制御部２９０から表示部１００対し、コントローラ部２００の識別情報が送信される。ステップＳ１０２では、制御部２９０が、表示部１００から出力される「不一致信号」が受信されたか否かの判断を行う。不一致信号は、ステップＳ１０１で送信した識別情報の正当性の有無が、表示部１００において判断される際に、「正当性が無い」と判断されるときに出力される信号である。不一致信号が受信された場合には、コントローラ部２００は、処理を終了する。不一致信号が受信されない場合には、ステップＳ１０３に進む。
【００４３】
ステップＳ１０３では、制御部２９０が、表示部１００から出力される、表示部１００の識別情報が受信されたか否かの判断を行う。識別情報が受信された場合には、ステップＳ１０４に進み、識別情報が受信されない場合には、ステップＳ１０２に戻って処理を繰り返す。
【００４４】
ステップＳ１０４では、制御部２９０が、ステップＳ１０３で受信された識別情報が有効であるか否かの判断を行う。ステップＳ１０３で受信された識別情報が有効である場合とは、その識別情報が正当性を有する場合であり、より詳細には、その識別情報と一致する識別情報が、ＩＤ情報記憶部２１０に保持されている場合である。
【００４５】
ステップＳ１０３で受信された識別情報が有効である場合には、ステップＳ１０５に進み、有効ではない場合には、コントローラ部２００の処理を終了する。ステップＳ１０５では、制御部２９０が、画像記憶部２２０に保持されている画像データを、表示部１００に対して出力する。
【００４６】
なお、ステップＳ１０３で受信され判断される識別情報が、表示部１００により表示されている画像データの識別情報の場合には、ステップＳ１０５で出力される画像データは、表示部１００により表示されている画像データに対応するものであるとよい。これにより、過去に表示部１００により表示されている画像データに係る画像データを、表示部１００に表示させることができる。より詳細には、複数の互いに関連する画像データを、一の表示部１００が表示する制御を行うことができ、画像データの表示に対するセキュリティ性を高めることができる。
【００４７】
また、ステップＳ１０３で受信され判断される識別情報が、表示部１００により表示されている画像データの識別情報であり、その識別情報が正当性を有しない場合には、制御部２９０は、表示部１００に表示される画像データに対する編集等の指示を、出力しない制御をしてもよい。
【００４８】
一方、表示部１００による処理のステップＳ２０１では、表示部１００の制御部１９０が、Ｉ／Ｆ部１６０から、識別情報が入力されたか否かの判断を行う。識別情報が入力された場合には、ステップＳ２０２に進み、識別情報が入力されない場合には、ステップＳ２０１を繰り返す。
【００４９】
ステップＳ２０２では、表示部１００の制御部１９０が、入力された識別情報が有効であるか否かを判断する。すなわち、入力される識別情報の正当性を判断する。識別情報が有効である場合には、ステップＳ２０３に進み、識別情報が有効ではない場合には、ステップＳ２０７に進む。
【００５０】
ステップＳ２０３では、制御部１９０からコントローラ部２００に対し、ＩＤ情報記憶部１１０に保持されている表示部１００の識別情報が出力される。一方、ステップＳ２０７では、制御部１９０からコントローラ部２００に対し、表示部１００に入力された識別情報が、ＩＤ情報記憶部１１０に保持されている識別情報と一致しない旨の「不一致信号」が送信される。ステップＳ２０７の処理の後、表示部１００は、処理を終了する。
【００５１】
ステップＳ２０３に続くステップＳ２０４では、制御部１９０が、コントローラ部２００から出力される画像データが受信されたか否かの判断を行う。画像データが受信された場合には、ステップＳ２０５に進み、受信されない場合には、ステップＳ２０４の処理を繰り返す。なお、ステップＳ２０４では、画像データの他に、「コントローラＩＤ」が受信される。「コントローラＩＤ」は、コントローラ部２００の識別情報である。
【００５２】
ステップＳ２０５では、制御部１９０が、表示制御部１８９に対してステップＳ２０４で受信された画像データを表示する制御を行う旨の指示を出力し、表示制御部１８９が、受信された画像データの画像を電子ペーパー１８０に描画し出力させる。
【００５３】
ステップＳ２０６では、制御部１９０が、ＩＤ情報記憶部１１０に、ステップＳ２０４で受信されたコントローラＩＤを記憶させる。これにより、コントローラ部２００から、再度コントローラＩＤが送信される際に、直前に認証されたコントローラ部２００であるか否かを判断することができる。
【００５４】
コントローラ部２００が、直前に認証されたコントローラ部２００ではない場合には、表示している画像データを出力したコントローラ部２００ではないと判断するとよい。これにより、接続されたコントローラ部２００から表示される画像データに対する編集等の指示が入力される際に、画像データを出力したコントローラ部２００ではないコントローラ部２００からの改ざんの指示を排除することができる。
【００５５】
（識別情報が正当性を有しない際の処理）
図３は、表示部１００の識別情報が正当性を有しない場合のコントローラ部２００における処理を説明するフロー図である。図３では、ステップＳ３０４における判断の後、識別情報が正当性を有しないと判断される場合に、ステップＳ３０６に進む他は、図２のステップＳ１０１からステップＳ１０５の処理と、図３のステップＳ３０１からステップＳ３０５とが同一である。そこで、ここでは、ステップＳ３０１からステップＳ３０５の処理の説明は省略する。
【００５６】
ステップＳ３０６では、制御部２００が、オーディオ制御部２４９に対し、警告音を鳴動させる旨の指示を出力する。この指示は、画像記憶部２２０に記憶されている音声信号又はその音声信号に係る情報を含むとよい。この指示に基づき、オーディオ制御部２４９が、スピーカ２４０より警告音を出力させる。
【００５７】
ステップＳ３０６では、また、警告音の出力の他に、制御部２９０が、画像記憶部２２０に保持されている、画像データを消去させてもよい。消去される画像データは、例えば、直前にコントローラ部２００から出力された画像データでもよく、また、画像記憶部２２０が保持する全ての画像データでもよい。これにより、コントローラ部２００が、不正に操作等される際に、画像データに対するセキュリティを保持することができる。
【００５８】
一方、図３の表示部１００における処理のステップＳ４０１からステップＳ４０５、及び、ステップＳ４０７は、図２のステップＳ２０１からステップＳ２０５及びステップＳ２０７の処理と同一であるので、ここでは説明を省略する。
【００５９】
（識別情報の例）
図４及び図５は、表示部１００が有するＩＤ情報記憶部２１０に保持される識別情報の例を示す図である。図４では、ＩＤ１からＩＤ５の５つの「固有ＩＤ情報」のそれぞれに対し、「部門ＩＤ」と「グループＩＤ」とが対応づけられている。「固有ＩＤ情報」は、コントローラ部２００の操作者の識別情報である。
【００６０】
図４では、一の部門ＩＤに対し、複数のグループＩＤが対応づけられている。また、一のグループＩＤに対し、複数の固有ＩＤ情報が対応づけられている。これにより、入力される識別情報が、固有ＩＤ情報の場合に、部門ＩＤ又はグループＩＤによる正当性を判断することができる。
【００６１】
なお、図４に示す「固有ＩＤ情報」は、表示部１００の操作者の識別情報でもよく、その場合は、これらの識別情報に係る情報は、コントローラ部２００が有するＩＤ情報記憶部２１０に保持される。
【００６２】
図５は、識別情報毎に画像データを表示する回数が定められている場合の例を示す図である。図５の情報は、コントローラ部２００が有するＩＤ情報記憶部２１０に保持される。図５中、「相手側ＩＤ情報」は、表示部１００の識別情報である。「表示制限回数」は、画像データを表示してよい回数である。また、「現在の回数」は、現在までに表示された回数である。
【００６３】
図５では、ＩＤ１からＩＤ５の５つの表示部１００の識別情報が保持されている。「相手側ＩＤ情報」毎に、画像データを表示してよい回数と、現在までに表示された回数とが対応づけられている。
【００６４】
なお、図５は、コントローラ部２００に接続される表示部１００毎に、表示する回数の制限を設ける例であるが、この他に、画像データ毎に表示する回数を制限してもよく、また、操作者毎に表示する回数を制限してもよい。
【００６５】
なお、図５に示す情報が、表示部１００が有するＩＤ情報記憶部１１０に保持される場合には、「相手側ＩＤ情報」は、コントローラ部２００の識別情報であり、コントローラ部２００毎に、画像を表示する回数が制限される。
【００６６】
（コンピュータ等による実現）
なお、本発明の実施の形態に係る表示制御方法は、例えば、制御部１９０又は制御部２９０であるＣＰＵがＲＯＭやハードディスク装置等に記憶されたコンピュータプログラムに従い、ＲＡＭ等のメインメモリをワークエリアとして使用し、実行される。また、本発明の実施の形態に係るコンピュータプログラムは、記憶部に格納される。例えば、画像記憶部１２０、画像記憶部２２０、又は、メモリカードＩ／Ｆ２３０に挿入等される図示しないメモリカード等に格納されてもよい。
【００６７】
以上、発明を実施するための最良の形態について説明を行ったが、本発明は、この最良の形態で述べた実施の形態に限定されるものではない。本発明の主旨をそこなわない範囲で変更することが可能である。
【産業上の利用可能性】
【００６８】
以上のように、本発明にかかる電子ペーパー表示装置は、表示する画像データに対するセキュリティを保持することに有用である。
【符号の説明】
【００６９】
１     情報表示装置
１００ 表示部
１１０ ＩＤ情報記憶部
１２０ 画像記憶部
１６０ Ｉ／Ｆ部
１８０ 電子ペーパー
１８９ 表示制御部
１９０ 制御部
２００ コントローラ部
２１０ ＩＤ情報記憶部
２２０ 画像記憶部
２３０ メモリカードＩ／Ｆ
２３９ メモリカードＩ／Ｆ制御部
２４０ スピーカ
２４９ オーディオ制御部
２５０ バッテリ
２５９ 電源制御部
２６０ Ｉ／Ｆ部
２６２ Ｉ／Ｆ部
２８０ 表示部
２８２ 入力部
２８９ 表示制御部
２９０ 制御部
【先行技術文献】
【特許文献】
【００７０】
【特許文献１】特開２００６−１７９０６号公報
【特許文献２】特開２０００−１７２６５０号公報
【図１】
2010186066.tif 000003
【図２】
2010186066.tif 000004
【図３】
2010186066.tif 000005
【図４】
2010186066.tif 000006
【図５】
2010186066.tif 000007